(57)【要約】【課題】本発明は、ユーザの使い勝手を格段と向上し得る撮像装置及び記録制御システムを実現するものである。【解決手段】被写体の撮像結果として得られる撮像データを出力する撮像装置及び記録制御システムにおいて、外部の記録装置と所定の通信方式による通信手段を介して相互に通信可能な状態になったときに、記録装置の制御状態を認識する制御手段と、記録装置の制御状態として得られる記録動作に必要なアプリケーションを実行させるための入力手段とを設け、記録装置は、入力手段によるアプリケーションの実行に基づいて、通信手段を介して取得した撮像データを記録するようにした。【選択図】        図２
2004312303.tif 000002
【特許請求の範囲】
【請求項１】
被写体の撮像結果として得られる撮像データを出力する撮像装置において、
外部の記録装置と所定の通信方式による通信手段を介して相互に通信可能な状態になったときに、上記記録装置の制御状態を認識する制御手段と、
上記記録装置の制御状態として得られる記録動作に必要なアプリケーションを実行させるための入力手段と
を具え、上記記録装置は、上記入力手段による上記アプリケーションの実行に基づいて、上記通信手段を介して取得した上記撮像データを記録する
ことを特徴とする撮像装置。
【請求項２】
上記記録装置の制御状態として得られる記録動作に必要なアプリケーションの進捗状況を表示する表示手段
を具えることを特徴とする請求項１に記載の撮像装置。
【請求項３】
複数の上記記録装置とそれぞれ対応する上記通信手段を介して相互に通信可能な状態になったとき、
上記制御手段は、各上記通信手段に割り当てられている固有のノードＩＤに基づいて、通信相手となる特定の上記記録装置を選択すると共に、当該記録装置以外の記録装置とは通信を拒否する
ことを特徴とする請求項１に記載の撮像装置。
【請求項４】
被写体の撮像結果として得られる撮像データを出力する撮像装置が、所定の通信方式による通信手段を介して記録装置と相互に通信するようになされた記録制御システムにおいて、
上記撮像装置は、
上記記録装置の制御状態を認識する第１の制御手段と、
上記記録装置の制御状態として得られる記録動作に必要なアプリケーションを実行させるための入力手段とを具え、
上記記録装置は、
上記撮像装置の制御状態を認識する第２の制御手段と、
上記記録装置の制御状態として得られる上記入力手段による上記アプリケーションの実行に基づいて、上記通信手段を介して上記撮像装置から取得した上記撮像データを記録する記録手段と
を具えることを特徴とする記録制御システム。
【請求項５】
上記撮像装置は、
上記記録装置の制御状態として得られる記録動作に必要なアプリケーションの進捗状況を表示する表示手段
を具えることを特徴とする請求項４に記載の記録制御システム。
【請求項６】
上記撮像装置は、
複数の上記記録装置とそれぞれ対応する上記通信手段を介して相互に通信可能な状態になったとき、上記第１の制御手段は、各上記通信手段に割り当てられている固有のノードＩＤに基づいて、通信相手となる特定の上記記録装置を選択すると共に、当該記録装置以外の記録装置とは通信を拒否する
ことを特徴とする請求項４に記載の記録制御システム。
【請求項７】
上記記録装置は、
複数の上記撮像装置とそれぞれ対応する上記通信手段を介して相互に通信可能な状態になったとき、上記第２の制御手段は、各上記通信手段に割り当てられている固有のノードＩＤに基づいて、通信相手となる特定の上記撮像装置を選択すると共に、当該撮像装置以外の撮像装置とは通信を拒否する
ことを特徴とする請求項４に記載の記録制御システム。
【発明の詳細な説明】
【０００１】
【発明の属する技術分野】
本発明は撮像装置及び記録制御システムに関し、例えばビデオカメラにパーソナルコンピュータを接続して構成されるビデオカメラシステムに適用して好適なものである。
【０００２】
【従来の技術】
近年、家庭用ビデオカメラやＤＶＤ（Ｄｉｇｉｔａｌ  Ｖｅｒｓａｔｉｌｅ  Ｄｉｓｋ）プレーヤが広く普及すると共に、パーソナルコンピュータも高機能化しており、ビデオカメラの撮像結果やＤＶＤプレーヤの出力をパーソナルコンピュータに転送するようにして、内蔵ハードディスクや外部から装填された書き換え可能なＤＶＤ等の記録媒体に保存するユーザが増加している。
【０００３】
例えば図１１に、ビデオカメラ２及びパーソナルコンピュータ３が例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格に基づく通信ケーブル４を介して接続されたビデオカメラシステム１を示し、ビデオカメラ２による被写体の撮像結果をパーソナルコンピュータ３に転送する場合について説明する。
【０００４】
実際にビデオカメラ２をパーソナルコンピュータ３に接続した状態で、パーソナルコンピュータ３は、図１２に示す映像ダビング処理手順ＲＴ１をステップＳＰ０から開始し、続くステップＳＰ１において、ユーザの外部操作によりビデオカメラ２から書き換え可能なＤＶＤへのダビング動作（以下、これをＤＶＤ作成と呼ぶ）の起動要求があるのを待つ。
【０００５】
このステップＳＰ１において肯定結果が得られると、パーソナルコンピュータ３は、ステップＳＰ２に進んで、ＤＶＤ作成に応じたアプリケーションを起動させた後、ステップＳＰ３に進んで、通信ケーブル４を介してビデオカメラ２に所定の制御コマンドを送信して、当該ビデオカメラ２から撮像結果を通信ケーブル４を介してパーソナルコンピュータ３に送信させる。
【０００６】
続いてパーソナルコンピュータは、ステップＳＰ４において、内部の映像記録部を制御することにより、外部から装填されたＤＶＤに対してビデオカメラから転送された撮像結果を記録する。
【０００７】
やがてステップＳＰ５において、パーソナルコンピュータ３は、ユーザの外部操作によりＤＶＤ作成の終了要求があったか否かを判断し、肯定結果が得られた場合にはステップＳＰ６に進んで、ＤＶＤ作成に応じたアプリケーションを終了させた後、そのままステップＳＰ７に進んで当該映像ダビング処理手順ＲＴ１を終了する。
【０００８】
これに対してステップＳＰ５において否定結果が得られると、パーソナルコンピュータ３は、ステップＳＰ８に進んで、ＤＶＤへのダビング動作が既に完了しているか否かを判断する。
【０００９】
このステップＳＰ８において、パーソナルコンピュータ３は、ＤＶＤ作成が既に完了していると判断した場合には、そのままステップＳ７に進んで当該映像ダビング処理手順ＲＴ１を終了する一方、未だ完了していないと判断した場合には、再度ステップＳＰ３に戻って上述と同様の処理を繰り返す。
【００１０】
このように従来のビデオカメラシステム１では、ビデオカメラ２をパーソナルコンピュータ３に接続した状態で、ユーザがパーソナルコンピュータ３を操作するようにして、ビデオカメラ２からパーソナルコンピュータ３へのダビング動作を実行するようになされている。
（例えば、特許文献１参照）。
【００１１】
【特許文献１】
特開平２０００−３２３２１号公報（第２１頁〜第２２頁、図３０〜図３３）
【００１２】
【発明が解決しようとする課題】
ところが、このビデオカメラシステム１では、ビデオカメラ２の撮像結果をパーソナルコンピュータ３内部に装填されたＤＶＤにダビングする際には、ユーザは必ずパーソナルコンピュータ３を使用しなければならなかった。
【００１３】
実際にユーザはまずパーソナルコンピュータ３を使用して、ＤＶＤ作成に応じた所定のアプリケーションを起動した後、当該アプリケーションの指示に従って撮像データの取り込み開始点の設定やＤＶＤ作成時におけるビットレートの設定などを行う必要がある場合があり、ＤＶＤ作成の開始からアプリケーションの終了などの一連の操作を、ユーザは全てパーソナルコンピュータ３上で指示する必要があった。従ってパーソナルコンピュータ３を実用十分に使いこなせないユーザにとっては困難となるものであった。
【００１４】
またパーソナルコンピュータ３の起動後は、パーソナルコンピュータ３主導でビデオカメラ２を制御するため、ビデオカメラ２からはパーソナルコンピュータ３のアプリケーションを操作することもアプリケーションの進捗状況を確認することもできなかった。そのためビデオカメラ２のみを目視確認している撮像データを取り込み中なのかＤＶＤに記録中なのかなどがわからないため、誤ってＩＥＥＥ１３９４規格に準拠した通信ケーブル４を引き抜いてしまった場合には、ＤＶＤ作成が中止されてしまったり、取り込み中に誤ってビデオカメラ２の操作パネルを操作してテープ走行を停止してしまったり、又はテープを取り出してしまったりするおそれがあった。
【００１５】
本発明は以上の点を考慮してなされたもので、ユーザの使い勝手を格段と向上し得る撮像装置及び記録制御システムを提案しようとするものである。
【００１６】
【課題を解決するための手段】
かかる課題を解決するため本発明においては、被写体の撮像結果として得られる撮像データを出力する撮像装置において、外部の記録装置と所定の通信方式による通信手段を介して相互に通信可能な状態になったときに、記録装置の制御状態を認識する制御手段と、記録装置の制御状態として得られる記録動作に必要なアプリケーションを実行させるための入力手段とを設け、記録装置は、入力手段によるアプリケーションの実行に基づいて、通信手段を介して取得した撮像データを記録するようにした。
【００１７】
この結果この撮像装置では、ユーザは撮像装置側から入力手段のみを用いて、記録装置側で記録動作に必要なアプリケーションを実行させることができ、当該撮像装置の撮像結果である撮像データを記録装置側にダビングさせることができる。
【００１８】
また本発明においては、被写体の撮像結果として得られる撮像データを出力する撮像装置が、所定の通信方式による通信手段を介して記録装置と相互に通信するようになされた記録制御システムにおいて、撮像装置は、記録装置の制御状態を認識する第１の制御手段と、記録装置の制御状態として得られる記録動作に必要なアプリケーションを実行させるための入力手段とを設け、記録装置は、撮像装置の制御状態を認識する第２の制御手段と、記録装置の制御状態として得られる入力手段によるアプリケーションの実行に基づいて、通信手段を介して撮像装置から取得した撮像データを記録する記録手段とを設けるようにした。
【００１９】
この結果この記録制御システムでは、ユーザは撮像装置側から入力手段のみを用いて、記録装置側で記録動作に必要なアプリケーションを実行させることができ、当該撮像装置の撮像結果である撮像データを記録装置側にダビングさせることができる。
【００２０】
（１）本実施の形態によるビデオカメラシステムの全体構成
図１において、１０は本実施の形態によるビデオカメラシステムを示し、ビデオカメラ１１及びパーソナルコンピュータ１２が例えばＩＥＥＥ１３９４規格に基づく通信ケーブル１３を介して接続されることにより構成されている。
【００２１】
このビデオカメラ１１においては、撮像データ入力部１４、撮像データ記録再生部１５、撮像データ出力部１６、画面表示部１７及び操作部１８が、ビデオカメラ１１全体の制御を司る制御部１９と接続され、当該制御部１９の制御に基づいて各種動作を実行するようになされている。
【００２２】
このうち撮像データ入力部１４では、被写体の撮影時に、投影レンズを介して入射した撮像光をＣＣＤ（Ｃｈａｒｇｅ  Ｃｏｕｐｌｅｄ  Ｄｉｖｉｃｅ）の撮像面において光電変換して撮像信号を得、当該撮像信号に対して相関２重サンプリング処理及び自動利得制御（ＡＧＣ：Ａｕｔｏ  Ｇａｉｎ  Ｃｏｎｔｒｏｌ）処理を施すようにして雑音成分の低減及びコントラストの変動の防止を実行した後ディジタル変換する。
【００２３】
続いて撮像データ入力部１４は、ディジタル変換した撮像信号に対してＹ／Ｃ分離、ホワイトバランス調整処理及びγ（ガンマ）補正等を施した後、これをマトリクス処理によってビデオ信号Ｓ１に変換し、これを制御部１９に送出する。
【００２４】
制御部１９は、撮像時には、ビデオ信号Ｓ１をフレーム単位でＲＡＭ（Ｒａｎｄｏｍ  Ａｃｃｅｓｓ  Ｍｅｍｏｒｙ）（図示せず）に順次書き込むと共に、エンコーダ（図示せず）を介して所定方式（例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式等）のコンポジット信号からなる撮像データＤ１に変換した後、これを撮像データ記録再生部１５、撮像データ出力部１６及び画面表示部１７に送出する。
【００２５】
その際、制御部１９は、ユーザによる操作部１８の操作に応じて、ズーム処理等の指令を受けた場合には、ビデオ信号Ｓ１をフレーム単位でそれぞれ指定倍率に拡大又は縮小した後、これら拡大画像又は縮小画像としてＲＡＭに順次書き込むと共に、エンコーダを介して撮像データＤ１に基づく動画像（以下、これをファインダ画像と呼ぶ）をリアルタイムで画面表示部１７に表示させる。
【００２６】
撮像データ記録再生部１５は、ビデオテープが装填可能なテープ収納部（図示せず）を有し、ユーザによるビデオテープの挿脱に応じた伝達信号を受けて制御部１９に送信すると共に、制御部１９から送出された撮像データＤ１に基づくファインダ画像をビデオテープに記録する。
【００２７】
撮像データ出力部１６は、スピーカやアナログ端子等を有し、制御部１９から送出された撮像データＤ１に基づく音声や映像等を必要に応じて出力するようになされている。また操作部１８は、ビデオカメラ１１自体に設けられている各種キーやスイッチ等のみならず、リモートコマンダ（図示せず）を有する場合には、その受信部も含まれる。
【００２８】
さらにビデオカメラ１１には、制御部１９が通信ケーブル１３を介してパーソナルコンピュータ１２と通信するためのインターフェースであるディジタルインターフェース（Ｉ／Ｆ）２０が設けられており、パーソナルコンピュータ１２との間で各種データやコマンド等を送受信するようになされている。
【００２９】
さらに本実施の形態においては、制御部１９は、一定時間毎にパーソナルコンピュータ１２の制御状態（以下、これをステータスと呼ぶ）を受信すると共に、ビデオカメラ１１からのユーザ操作によるＤＶＤ作成アプリケーションの起動要求及び終了要求やビデオカメラ１１上のステータスの表示内容を送信するようになされている。
【００３０】
パーソナルコンピュータ１２においては、制御・記憶パラメータ設定部２１、撮像データ記録部２２、操作部２３及び画面表示部２４が、全体の制御を司る制御部２５と接続され、当該制御部２５の制御に基づいて各種動作を実行するようになされている。
【００３１】
さらにパーソナルコンピュータ１２には、制御部２５が通信ケーブル１３を介してビデオカメラ１１と通信するためのインターフェースであるディジタルインターフェース（Ｉ／Ｆ）２６が設けられており、通信相手であるビデオカメラ１１との間で各種データやコマンド等を送受信するようになされている。
【００３２】
制御・記憶パラメータ設定部２１は、各種ソフトウェアが格納されたＲＯＭ（Ｒｅａｄ  Ｏｎｌｙ  Ｍｅｍｏｒｙ）と、制御部２５のワークメモリとしてのＲＡＭと、各種データが格納されたハードディスク装置とを有し、主としてビデオカメラ１１の制御パラメータやＤＶＤの記録パラメータの設定を行うようになされている。
【００３３】
撮像データ記録部２２は、ＤＶＤが装填可能なディスク収納部（図示せず）を有し、ユーザによるＤＶＤの挿脱に応じた伝達信号を制御部２５に送信すると共に、ビデオカメラ１１から出力された撮像データＤ１に基づく動画像をＤＶＤに記録する。ここで記録用のＤＶＤとしては、ＤＶＤ−ＲＡＭ及びＤＶＤ−ＲＷ（Ｒｅｗｒｉｔａｂｌｅ）等の書き換え可能なものや、ＤＶＤ−Ｒ（Ｒｅｃｏｒｄａｂｌｅ）等の記録可能なものが用いられる。
【００３４】
また制御部２５は、通信ケーブル１３及びディジタルインターフェースを介してビデオカメラ１１から与えられる撮像データＤ１やコマンドと、制御・記憶パラメータ設定部２１内のＲＯＭに格納されているソフトウェアとに基づいて各種処理を実行する。
【００３５】
さらに本実施の形態においては、制御部２５は、一定時間毎にＤＶＤ作成アプリケーションの進捗状態（すなわちパーソナルコンピュータ１２のステータス）をビデオカメラ１１に送信すると共に、当該ビデオカメラ１１のステータスを受信するようになされている。
【００３６】
（２）ＤＶＤおまかせ作成機能
本実施の形態によるビデオカメラシステム１０では、ビデオカメラ１１を通信ケーブル１３を介してパーソナルコンピュータ１２に接続した状態で、当該ビデオカメラ１１側からのみユーザが操作することにより、ビデオカメラ１１の撮像結果である撮像データＤ１をパーソナルコンピュータ１２側に装填されているＤＶＤにダビングする機能（以下、これをＤＶＤおまかせ機能と呼ぶ）を実行し得るようになされている。
【００３７】
このＤＶＤおまかせ機能を実現するにあたり、ビデオカメラ１１及びパーソナルコンピュータ１２の各制御部１９、２５には、それぞれ制御状態監視プログラムが予めインストールされており、双方から交互に送受信されるコマンド又はレスポンスに基づいて、対応する各種処理を実行し得るようになされている。またパーソナルコンピュータ１２における制御部２５には、ＤＶＤ作成アプリケーションが予め搭載されており、その起動時に、撮像データ記録部２２に装填されている記録可能なＤＶＤに対して記録処理を実行し得るようになされている。
【００３８】
具体的にＤＶＤおまかせ機能は、以下のような一連の操作の流れによって行われる。まずパーソナルコンピュータ１２及びビデオカメラ１１間を通信ケーブル１３で接続しておき、ユーザがビデオカメラ１１側にダビングしたいビデオカセットを挿入すると共にパーソナルコンピュータ１２側に記録可能なＤＶＤを装填する。続いてユーザはビデオカメラ１１をＤＶＤおまかせ機能を実行可能なモード（以下、これをＤＶＤ作成モードと呼ぶ）に切り換えた後、当該ビデオカメラ１１側でＤＶＤ作成アプリケーションに応じた種々の操作を行う。
【００３９】
そしてパーソナルコンピュータ１２では、ビデオカメラ１１から撮像データＤ１に基づく動画像の取り込みながら、オーサリング（Ａｕｔｈｏｒｉｎｇ）処理を経てＤＶＤへの動画像の書き込み処理を行ってＤＶＤへのダビングを終了する。その際、もう１枚ＤＶＤを作成するかをビデオカメラ１１側でユーザに問い合わせた後、終了する場合にはダビングされたＤＶＤをパーソナルコンピュータ１２から取り出す。
【００４０】
（２−１）ビデオカメラ１１側のＤＶＤおまかせ作成処理手順
実際にこのビデオカメラシステム１０では、ビデオカメラ１１を通信ケーブル１３を介してパーソナルコンピュータ１２に接続した状態で、ビデオカメラ１１及びパーソナルコンピュータ１２の各制御部１９、２５は、それぞれＤＶＤおまかせ作成処理手順ＲＴ２（図２）及びＲＴ３（図３）を互いに同期させながら実行するようになされている。
【００４１】
まず図２に示すように、ビデオカメラ１１側におけるＤＶＤおまかせ作成処理手順ＲＴ２では、ビデオカメラ１１の制御部１９は、ステップＳＰ１０から開始し続くステップＳＰ１１において、ユーザの操作部１８の入力によりビデオカメラ１１からＤＶＤ作成アプリケーションの起動要求があるのを待つ。
【００４２】
このステップＳＰ１１において肯定結果が得られると、制御部１９は、ステップＳＰ１２に進んで、ＤＶＤ作成アプリケーションの起動要求コマンドをパーソナルコンピュータ１２側に送信した後、ステップＳＰ１３に進んで、制御状態監視プログラムに従うコマンド及びレスポンスの送受信に基づいて、ビデオカメラ１１及びパーソナルコンピュータ１２の双方の制御状態を認識し合う。
【００４３】
その際、制御部１９は、ステップＳＰ１４において、パーソナルコンピュータ１２の制御状態、すなわちＤＶＤ作成アプリケーションのステータスに合わせて、当該ステータスに応じた表示内容を画面表示部１７に表示させる。この結果、ユーザにステータスに応じた表示内容を認識させることができると共に、ＤＶＤ作成アプリケーションの起動中にユーザが誤って通信ケーブル１３を抜き取るのを未然に防止することができる。
【００４４】
このとき制御部１９は、ステップＳＰ１５において、ビデオカメラ１１の操作部１８から発生されるコマンドのうち、ＤＶＤ作成アプリケーションの終了要求コマンド以外のコマンドを排他する。この結果、当該操作部１９の機能の大部分を強制的に停止させることにより、ＤＶＤアプリケーションの起動中にユーザによりビデオテープの再生動作の中断のような誤動作が行われるのを未然に防止することができる。
【００４５】
続いて制御部１９は、ステップＳＰ１６において、パーソナルコンピュータ１２から与えられた制御コマンドに従ってビデオテープに記録されている撮像データＤ１を再生しながら、通信ケーブル１３を介してパーソナルコンピュータ１２に送出する。
【００４６】
やがて制御部１９は、ステップＳＰ１７に進んで、ユーザにより操作部１８を介してＤＶＤ作成アプリケーションの終了要求コマンドが入力されたか否かを判断し、肯定結果が得られた場合には、ステップＳＰ１８に進んで、パーソナルコンピュータ１２側へＤＶＤ作成アプリケーションの終了要求コマンドを通信ケーブル１３を介して送信する。
【００４７】
そして制御部１９は、ステップＳＰ１９に進んで、パーソナルコンピュータ１２側においてＤＶＤ作成アプリケーションが終了されるのを待ち、肯定結果が得られた場合のみ、すなわちパーソナルコンピュータ１２側からレスポンスが与えられた場合のみ、ステップＳＰ２０に進んで、当該ＤＶＤおまかせ機能処理手順ＲＴ２を終了する。
【００４８】
これに対してステップＳＰ１７において否定結果が得られた場合には、制御部１９は、ユーザによる操作部１８の入力がないと判断して、再度ステップＳＰ１３に戻って、上述と同様の処理を繰り返す。
【００４９】
このようにビデオカメラ１１においては、ＤＶＤ作成アプリケーションの起動から終了に至るまでの一連の処理を画面表示部１７に画面表示させながら、ビデオカメラ１１側からのみユーザが操作部１８を操作するようにして、撮像結果である撮像データＤ１をパーソナルコンピュータ１２側に装填されているＤＶＤにダビングさせることができる。
【００５０】
（２−２）パーソナルコンピュータ１２側のＤＶＤおまかせ作成処理手順
一方、図３に示すように、パーソナルコンピュータ１２側におけるＤＶＤおまかせ作成処理手順ＲＴ３では、パーソナルコンピュータ１２の制御部２５は、ステップＳＰ３０から開始し続くステップＳＰ３１において、予めインストールされている制御状態監視プログラムを起動（初期設定により常駐）させた後、ステップＳＰ３２に進んで、ユーザの操作部２３の入力によりＤＶＤ作成アプリケーションの起動要求があるか否かを判断する。
【００５１】
このステップＳＰ３２において否定結果が得られた場合、制御部２５は、ステップＳＰ３３に進んで、ビデオカメラ１１側からユーザの外部操作によりＤＶＤ作成アプリケーションの起動要求があったか否かを判断し、さらに否定結果が得られた場合には再度ステップＳＰ３２に戻る。
【００５２】
このように制御部２５は、ステップＳＰ３２及びＳＰ３３において、パーソナルコンピュータ１２側又はビデオカメラ１１側でユーザの外部操作によりＤＶＤ作成アプリケーションが起動されるのを待ち、いずれかで肯定結果が得られた場合のみステップＳＰ３４に進む。
【００５３】
このステップＳＰ３４において、制御部２５は、ＤＶＤ作成アプリケーションを起動させた後、ステップＳＰ３５に進んで、制御状態監視プログラムに従うコマンド及びレスポンスの送受信に基づいて、ビデオカメラ１１及びパーソナルコンピュータ１２の双方の制御状態を認識し合う。
【００５４】
その際、制御部２５は、ステップＳＰ３６において、ビデオカメラ１１に対して制御コマンドを送出することにより、当該ビデオカメラ１１においてビデオテープに記録されている撮像データＤ１を再生させながら、通信ケーブル１３を介してパーソナルコンピュータ１２に送出させる。
【００５５】
そして制御部２５は、ステップＳＰ３７に進んで、撮像データ記録部２２を制御するようにして、装填されているＤＶＤに対して、ビデオカメラ１１から通信ケーブル１３を介して供給された撮像データＤ１を記録する。
【００５６】
やがて制御部２５は、ステップＳＰ３８に進んで、ユーザにより操作部２３を介してＤＶＤ作成アプリケーションの終了要求コマンドが入力されたか否かを判断し、否定結果が得られた場合には、ステップＳＰ３９に進んで、ビデオカメラ１１側においてユーザの外部操作によりＤＶＤ作成アプリケーションの終了要求コマンドが入力されたか否かを判断し、さらにステップＳＰ３９において否定結果が得られた場合には、ステップＳＰ４０に進んで、ＤＶＤ作成の完了すなわちＤＶＤへの記録動作が終了したか否かを判断する。
【００５７】
このステップＳＰ４０において否定結果が得られた場合には、制御部２５は、パーソナルコンピュータ１２側及びビデオカメラ１１側からもＤＶＤ作成終了の旨の指示がなく、かつＤＶＤ作成も終了していないと判断して、再度ステップＳＰ３５に戻って、上述と同様の処理を繰り返す。
【００５８】
これらステップＳＰ３８〜ＳＰ４０において、制御部２５は、パーソナルコンピュータ１２側又はビデオカメラ１１側でユーザの外部操作によりＤＶＤ作成アプリケーションが起動されるか、又はＤＶＤ作成が完了するのを待ち、いずれかで肯定結果が得られた場合のみステップＳＰ４１に進む。
【００５９】
このステップＳＰ４１において、制御部２５は、ＤＶＤ作成アプリケーションを終了させた後、そのままステップＳＰ４２に進んで、当該ＤＶＤおまかせ機能処理手順ＲＴ３を終了する。
【００６０】
このようにパーソナルコンピュータ１２においては、ビデオカメラ１１との接続時に、当該ビデオカメラ１１側からの操作に応じて、ＤＶＤ作成アプリケーションの起動から終了に至るまでの一連の処理を実行させながら、ビデオカメラ１１側から送信される撮像データＤ１をＤＶＤにダビングさせることができる。
【００６１】
（２−３）ビデオカメラ１１側の画面遷移状態
実際にＤＶＤおまかせ作成機能は、ユーザがビデオカメラ１１における画面表示部１７の表示画面を目視確認しながら実行されるようになされ、具体的には後述する図５及び図６に示す状態遷移図ＳＴ１、ＳＴ２に従って、ビデオカメラ１１及びパーソナルコンピュータ１２間で相互にステータスを送受信しながら、それぞれステータスに合わせて順次遷移画面として表示される。
【００６２】
これら状態遷移図ＳＴ１、ＳＴ２では、図４（Ａ）に示すように、複数の遷移画面ＰＡ、ＰＢの全てがＤＶＤおまかせ機能における特定の進捗状態でまとめられる場合、これら複数の遷移画面ＰＡ、ＰＢは全て所定の方形枠（以下、これを上位枠と呼ぶ）ＵＦによって包含されて表示されるようになされている。
【００６３】
そしてこの上位枠ＵＦの枠線に入力される矢印ａ１は、当該上位枠ＵＦ内に包含される複数の遷移画面ＰＡ、ＰＢのうちいずれかの遷移画面ＰＡ、ＰＢに遷移することを表している一方、当該上位枠ＵＦを抜けて特定の遷移画面ＰＢの枠線に入力される矢印ａ２は、当該遷移画面ＰＢに遷移することを表している。
【００６４】
また上位枠ＵＦの枠線から出力される矢印ａ３は、当該上位枠ＵＦ内に包含される複数の遷移画面ＰＡ、ＰＢのいずれからも発生する遷移であることを表している一方、特定の遷移画面ＰＢの枠線から上位枠ＵＦを抜けて出力される矢印ａ４は、当該遷移画面ＰＢのみ発生する遷移であることを表している。
【００６５】
また図４（Ｂ）に示すように、遷移画面ＰＡ（ＰＢ）について、画面中央及び上段に表示されたメッセージ（例えば「作成を中止しますか？」）は、ビデオカメラ１１側の状態を表し、画面下段には左側には、決定、実行又はＯＫ等のボタン（以下、これを肯定系ボタンと呼ぶ）ＢＴ１がＧＵＩ（Ｇｒａｐｈｉｃａｌ  Ｕｓｅｒ  Ｉｎｔｅｒｆａｃｅ）表示されると共に、右側には、取消又はキャンセル等のボタン（以下、これを否定系ボタンと呼ぶ）ＢＴ２がＧＵＩ表示されている。
【００６６】
さらに遷移画面ＰＡ（ＰＢ）の枠線から出力される矢印ａ５上の四角形ＳＦは、主に遷移条件に応じたトリガや抜き差し等の物理的要因を表し、同じく矢印ａ５上の楕円形（図示せず）は、パーソナルコンピュータ１２のステータス変化を表すようになされている。
【００６７】
そして図５及び図６に示す状態遷移図ＳＴ１、ＳＴ２においては、状態を遷移させるときの原則として、第１に、ビデオカメラ１１がＤＶＤ作成モードに入る条件としては、ビデオテープが装填され、かつ各種エラーがないなどのビデオテープの再生可能な状態にあることと、パーソナルコンピュータ１２側のＤＶＤ作成アプリケーションと通信ケーブル１３を介して相互認識が済んでいることである。
【００６８】
第２に、ビデオカメラ１１がＤＶＤ作成モードから抜ける条件としては、ＤＶＤ作成アプリケーションの強制終了を伴う場合には、正常にＤＶＤ作成を終了したか、又はＤＶＤ作成の中断の操作をされたことであり、ＤＶＤ作成アプリケーションの強制終了させない場合には、通信ケーブル１３を引き抜いたか、ビデオカメラ１１の電源をオフ状態にしたか、又は種々の原因（ＯＳ（Ｏｐｅｒａｔｉｎｇ  Ｓｙｓｔｅｍ）やアプリケーションのフリーズやエラー等）によりパーソナルコンピュータ１２からの通信が途絶えたことである。
【００６９】
第３に、ビデオカメラ１１はＤＶＤ作成モードにおいては、正常な遷移か否かの判断を行うことはなく、原則としてパーソナルコンピュータ１２のステータスを優先して遷移する。第４に、パーソナルコンピュータ１２側では、ビデオカメラ１１からの終了以外では、自動的にＤＶＤ作成アプリケーションを終了しないことであり、例えばもう１枚作成の指示をマウス操作等でも可能にしたり、正常なビデオカメラ１１が再び認識されたら元に戻れる機会を増やしたりすることである。第５に、パーソナルコンピュータ１２側では、「もう１枚作成しますか？」のメッセージ表示の直後以外では、ディスク（ＤＶＤ）の排出を自動で行わないことである。
【００７０】
（２−３−１）通常の遷移状態図ＳＴ１
実際に図５に状態遷移図ＳＴ１において、ビデオカメラ１１における画面表示部１７の表示画面には、所定のコンソール画面ＣＰ０が表示され、当該コンソール画面ＣＰ０の上段にはユーザの選択に応じて表示内容を切り換えるための「ページ１」から「ページ３」まで表す切換ボタンＢＴ３がＧＵＩ表示され、その右端にはコンソール画面ＣＰ０を終了するための「閉じる」を表す終了ボタンＢＴ４がＧＵＩ表示されている。さらにコンソール画面ＣＰ０の中段及び下段には、複数種類のエフェクトボタンＢＴ５及びコントロールボタンＢＴ６がＧＵＩ表示されている。
【００７１】
このコンソール画面ＣＰ０の表示段階では、パーソナルコンピュータ１２は単に通信ケーブル１３を介してビデオカメラ１１と接続された状態にすぎず、パーソナルコンピュータ１２のステータスを表すコマンド（以下、これをステータスコマンドと呼ぶ）が、接続相手が不明な状態のままそのビデオカメラ１１に送出される。一方、ビデオカメラ１１においても、受け取ったステータスコマンドに応じて、当該ビデオカメラ１１のステータスを表すコマンド（以下、これをステータスレスポンスと呼ぶ）が送り返される。
【００７２】
このときのステータスレスポンスは、例えばビデオカセットが装填されていない等のビデオカメラ１１の準備が整っていないか、又は接続相手のパーソナルコンピュータ１２に常駐されている制御状態監視プログラムの準備ができていない状態にあると認識している。
【００７３】
かかるコンソール画面ＣＰ０においては、画面中段における複数種類のエフェクトのうち「ＤＶＤ作成」を表すエフェクトボタンが選択不可（Ｄｉｓａｂｌｅ）であり、ビデオカメラ１１では、例えばビデオカセットが装填されていない等のビデオカメラ１１の準備が整っていないか、又は接続相手のパーソナルコンピュータ１２に常駐されている制御状態監視プログラムの準備ができていない状態にあると認識している。
【００７４】
やがてパーソナルコンピュータ１２が制御状態監視プログラムを起動して、接続相手であるビデオカメラ１１をＤＶＤおまかせ作成機能の対応機種であると認識すると、ＤＶＤ作成アプリケーションをいつでも立ち上げ可能状態にしながら、その旨に応じたステータスコマンドを出力する。一方、ビデオカメラ１１では、受け取ったステータスコマンドに応じて、コンソール画面ＣＰ０からコンソール画面ＣＰ１に遷移して「ＤＶＤ作成」を表すエフェクトボタンを選択可能（Ａｂｌｅ）にする。
【００７５】
コンソール画面ＣＰ１において「ＤＶＤ作成」を表すエフェクトボタンが実際に選択されると、ＤＶＤ作成アプリケーションの起動待ち状態を表す上位枠ＵＦ１に包含されている遷移画面ＰＴ１に遷移する。この遷移画面ＰＴ１は、画面中段に「ＤＶＤ作成します」のメッセージが表示されると共に、画面下段に左右に肯定系ボタン及び否定系ボタンがＧＵＩ表示される。
【００７６】
この遷移画面ＰＴ１が表示された状態では、制御部１９は、未だ例えばビデオカセットが装填されていない等のビデオカメラ１１の準備が整っていないか、又は接続相手のパーソナルコンピュータ１２においてＤＶＤ作成の準備ができていない状態にあると認識している。その際、ＤＶＤ作成のトリガを発生させないように肯定系ボタン及び否定系ボタンは選択不可状態となっている。
【００７７】
やがてパーソナルコンピュータ１２において、ＤＶＤ作成の準備が整い、いつでもＤＶＤ作成アプリケーションを起動可能になると、その旨のステータスコマンドを出力する。一方、ビデオカメラ１１では、受け取ったステータスコマンドに応じて、同じ上位枠ＵＦ１に包含されている遷移画面ＰＴ２に遷移する。この遷移画面ＰＴ２において、操作部１８におけるＤＶＤ作成開始に応じたボタンを受け付け可能（Ａｂｌｅ）になったと認識している。
【００７８】
この遷移画面ＰＴ２において、ビデオテープが装填されていない場合には、遷移画面ＰＴ３に遷移する一方、他の都合により未だＤＶＤ作成アプリケーションの起動待ち状態である場合には、遷移画面ＰＴ４に遷移する。
【００７９】
ビデオカメラ１１において、パーソナルコンピュータ１２でのＤＶＤ作成アプリケーションの起動を享受できる状態になると、ＤＶＤ作成準備待ち状態を表す上位枠ＵＦ２に包含されている遷移画面ＰＴ５に遷移する。
【００８０】
パーソナルコンピュータ１２は、撮像データ記録部２２にディスクが装填されていないために作業続行不可となったとき又はディスクが装填されていてもブランクディスクでもなく書き換え可能なディスクでもない場合に、それぞれディスクの挿入又は交換を促すステータスコマンドを出力する。一方、ビデオカメラ１１では、受け取ったステータスコマンドに応じて、図６に示すように、ディスク装填状態を表す上位枠ＵＦ３に包含されている遷移画面ＰＴ６、ＰＴ７の該当する方に遷移する。
【００８１】
このディスク装填状態を表す上位枠ＵＦ３内には、これらの遷移画面ＰＴ６、ＰＴ７以外にも記録再生時の上書き確認状態を表す上位枠ＵＦ４が設けられ、当該上位枠ＵＦ４には複数の遷移画面ＰＴ８〜ＰＴ１０が包含されている。
【００８２】
パーソナルコンピュータ１２において上書き可能なディスクが挿入されており、消去しても問題ないかを確認する旨のステータスコマンドを出力する。一方、ビデオカメラ１１では、受け取ったステータスコマンドに応じて、上書き確認状態を表す上位枠ＵＦ４に包含されている遷移画面ＰＴ８に遷移する。
【００８３】
この遷移画面ＰＴ８は、書き換え可能なディスクを初期化して上書きするか否かを確認する旨のメッセージが表示される。続いてこの遷移画面ＰＴ８は、ユーザの選択操作に応じて、上書き実行要求を表す遷移画面ＰＴ９又は上書きせず待機中を表す遷移画面ＰＴ１０のいずれかに遷移する。
【００８４】
パーソナルコンピュータ１２は、ビデオカメラ１１から通信ケーブル１３を介して転送される撮像データＤ１を内部のハードディスク装置に取り込み中である旨を表すステータスコマンドを出力する。一方、ビデオカメラ１１では、受け取ったステータスコマンドに応じて、上書き実行要求を表す遷移画面ＰＴ９からダビング進捗状態を表す上位枠ＵＦ５に包含されている遷移画面ＰＴ１１に遷移する。この遷移画面ＰＴ１１には、通信ケーブル１３を抜かないように促すメッセージが表示される。
【００８５】
やがてパーソナルコンピュータ１２は、ハードディスク装置に撮像データＤ１を取り込んだ後、当該撮像データＤ１をＤＶＤ化するための準備段階に入り、オーサリング（Ａｕｔｈｏｒｉｎｇ）処理中である旨を表すステータスコマンドを出力する。一方、ビデオカメラ１１では、受け取ったステータスコマンドに応じて、遷移画面ＰＴ１１から遷移画面ＰＴ１２に遷移する。
【００８６】
さらにパーソナルコンピュータ１２は、ハードディスク装置に撮像データＤ１を取り込んだ後、オーサリング後の撮像データＤ１をＤＶＤに記録中である旨を表すステータスコマンドを出力する。一方、ビデオカメラ１１では、受け取ったステータスコマンドに応じて、遷移画面ＰＴ１２から遷移画面ＰＴ１３に遷移する。なおファイナライズ（ｆｉｎａｌｉｚｅ）の場合にはその旨が表示される。
【００８７】
ダビング進捗状態にあるときに、パーソナルコンピュータ１２においてＤＶＤ作成にあたって修復作業が必要なエラー状態に陥ったとき、接続機器の確認を促す旨のステータスコマンドを出力する。一方、ビデオカメラ１１では、受け取ったステータスコマンドに応じて、図７に示すように、ダビング進捗状態を表す上位枠ＵＦ５に包含されている遷移画面ＰＴ１１〜ＰＴ１３のいずれからファイナライズ以前又は以降の遷移画面ＰＴ１４、ＰＴ１５に遷移する。これらの遷移画面ＰＴ１４、ＰＴ１５には、ＤＶＤ作成の中止及び接続機器の確認を促す旨のメッセージが表示される。
【００８８】
パーソナルコンピュータ１２においてＤＶＤ作成が終了して、もう１枚作成するか否かを問い合わせている状態を表すステータスコマンドを出力する。一方、ビデオカメラ１１では、受け取ったステータスコマンドに応じて、ダビング進捗状態を表す上位枠ＵＦ５に包含されている遷移画面ＰＴ１３から遷移画面ＰＴ１６に遷移する。この遷移画面ＰＴ１６には、ディスク取り出しを促すメッセージが表示される。
【００８９】
そしてビデオカメラ１１において、ユーザがもう１枚作成することを選択した場合には、上述したＤＶＤ作成準備待ち状態を表す上位枠ＵＦ２に包含されている遷移画面ＰＴ１７に遷移する。
【００９０】
このようにしてビデオカメラ１１において、ＤＶＤ作成アプリケーションを終了させたい状態として、上位枠ＵＦ２内の遷移画面ＰＴ５及びＰＴ１７、遷移画面ＰＴ１６、遷移画面ＰＴ１４のうちの該当する画面を保持したまま、ビデオカメラ１１側の都合でＤＶＤ作成アプリケーションを終了させたい状態（正常な操作による終了）となったとき、コンソール画面ＣＰ０（図５）に遷移する。
【００９１】
（２−３−２）例外・中断処理込みの遷移状態図ＳＴ２
実際に図５〜図７との対応部分に同一符号を付して示す図８において、状態遷移図ＳＴ２では、上述した状態遷移図ＳＴ１（図５〜図７）の遷移状態に遷移画面ＰＴ２０が加えられたことを除いて同様に構成されている。
【００９２】
すなわちパーソナルコンピュータ１２は、操作部２３側で作業しないと回復できないエラーに陥ったときにその旨を表すステータスコマンドを出力する。一方、ビデオカメラ１１では、受け取ったステータスコマンドや通信ケーブル１３の断線や通信時のタイムアウト等に応じて、ビデオカメラ１１側のメッセージでは対処不能なエラーが発生したことを認識して、上位枠ＵＦ１〜ＵＦ５内に包含される現時点の遷移画面から接続相手の確認を促す遷移画面ＰＴ２０に遷移する。この遷移画面ＰＴ２０には、「接続機を確認してください」を表す旨のメッセージが表示される。
【００９３】
（３）本実施の形態による動作及び効果
以上の構成において、このビデオカメラシステム１０では、ビデオカメラ１１及びパーソナルコンピュータ１２について、双方の制御状態を認識し合うための制御状態監視プログラムをそれぞれ予め設定しておき、ＩＥＥＥ１３９４規格に準拠した通信ケーブル１３を介して相互接続したとき、ビデオカメラ１１側におけるユーザの操作のみに基づいて、パーソナルコンピュータ１２側におけるＤＶＤ作成アプリケーションの起動から終了に至るまでの一連の処理を実行させる。
【００９４】
従って、ユーザはビデオカメラ１１のみを操作すれば済むことから、パーソナルコンピュータ１２の画面表示部２４をオン状態にする必要がなく、ビデオカメラ１１から出力される撮像結果である撮像データＤ１をパーソナルコンピュータ１２側に装填されているＤＶＤにダビングさせることができる。
【００９５】
その際、ビデオカメラ１１では、ＤＶＤ作成アプリケーションの処理内容を画面表示部１７に表示させるようにしたことにより、ユーザがビデオカメラ１１側からのみ操作する際に通信ケーブルを抜き取る等の誤動作を未然に防止することができる。
【００９６】
以上の構成によれば、このビデオカメラシステム１０において、ビデオカメラ１１を通信ケーブル１３を介してパーソナルコンピュータ１２に接続した状態で、ビデオカメラ１１側におけるユーザの操作のみに基づいて、パーソナルコンピュータ１２側におけるＤＶＤ作成アプリケーションの起動から終了に至るまでの一連の処理を実行させるようにしたことにより、パーソナルコンピュータ１２の画面表示部２４をオン状態にすることなく、当該パーソナルコンピュータ１２を用いてビデオカメラ１１側から送信される撮像データＤ１をＤＶＤにダビングさせることができ、かくしてユーザの使い勝手を格段と向上し得るビデオシステム１０を実現できる。
【００９７】
（４）他の実施の形態
なお上述の実施の形態においては、被写体の撮像結果として得られる撮像データＤ１を出力するビデオカメラ（撮像装置）１１が、ＩＥＥＥ１３９４規格（所定の通信方式）による通信ケーブル（通信手段）１３を介してパーソナルコンピュータ（記録装置）と相互に通信するようになされたビデオカメラシステム（記録制御システム）１０として、図１に示すような構成のものを適用するようにした場合について述べたが、本発明はこれに限らず、この他種々の構成の撮像装置及び記録装置を含む記録制御システムに広く適用することができる。
【００９８】
また上述の本実施の形態においては、本発明による撮像装置として図１に示すようなパーソナルコンピュータ（記録装置）１２の制御状態を認識する制御部（制御手段、第１の制御手段）１９と、パーソナルコンピュータ（記録装置）１２の制御状態として得られる記録動作に必要なＤＶＤ作成アプリケーションを実行させるための操作部（入力手段）１８とを有するビデオカメラ１１を適用するようにした場合について述べたが、本発明はこれに限らず、この他種々の構成、例えば携帯電話や携帯情報機器（ＰＤＡ：Ｐｅｒｓｏｎａｌ  Ｄｉｇｉｔａｌ  Ａｓｓｉｓｔａｎｎｔｓ）などのモバイル機器としての撮像装置にも広く適用することができる。
【００９９】
さらに上述の本実施の形態においては、図１のビデオカメラ（撮像装置）１１は、パーソナルコンピュータ（記録装置）１２の制御状態として得られる記録動作に必要なＤＶＤ作成アプリケーションの進捗状況を画面表示部（表示手段）１７に表示するようにした場合について述べたが、要は、ＤＶＤ作成アプリケーションの処理内容をユーザに提示するようにしてユーザがビデオカメラ１１側からのみ操作する際に通信ケーブルを抜き取る等の誤動作を未然に防止することができれば、この他種々の構成からなる表示手段に広く適用するようにしても良い。
【０１００】
さらに上述の本実施の形態においては、本発明による記録装置として図１に示すようなビデオカメラ（撮像装置）の制御状態を認識する制御部（第２の制御手段）２５と、パーソナルコンピュータ（記録装置）１２の制御状態として得られる操作部（入力手段）１８によるＤＶＤ作成アプリケーションの実行に基づいて、通信ケーブル（通信手段）１３を介してビデオカメラ（撮像装置）１１から取得した撮像データＤ１を記録する撮像データ記録部（記録手段）２２とを有するパーソナルコンピュータ１２を適用するようにした場合について述べたが、本発明はこれに限らず、パーソナルコンピュータ１２自体に記録手段がない場合には当該パーソナルコンピュータ１２にハードディスク装置を外部接続するようにしても良く、又はＤＶＤレコーダ等の光ディスク記録装置に広く適用することができる。
【０１０１】
さらに上述の本実施の形態においては、被写体の撮像結果として得られる撮像データＤ１を出力するビデオカメラ（撮像装置）１１が、ＩＥＥＥ１３９４規格（所定の通信方式）による通信ケーブル（通信手段）１３を介してパーソナルコンピュータ（記録装置）と相互に通信するようになされたビデオカメラシステム（記録制御システム）１０として、図１に示すような１対１接続の構成のものを適用するようにした場合について述べたが、本発明はこれに限らず、単一の撮像装置に対して複数の記録装置を通信相手として接続するようにしても良く、又は複数の撮像装置に対して単一の記録装置を通信相手として接続するようにしても良い。
【０１０２】
例えば、図１との対応部分に同一符号を付した図９に示すようなビデオカメラシステム３０では、複数のビデオカメラ１１に単一のパーソナルコンピュータ１２が相互接続されている。この場合パーソナルコンピュータ１２の構成には、ノードＩＤ選択部３１が追加されていると共に、各ビデオカメラ１１とは通信ケーブル１３を介してディジタルインターフェース２６と相互接続されている。
【０１０３】
この場合、通信ケーブル１３としてＩＥＥＥ１３９４規格に準拠したものを用いていることから、当該通信ケーブル１３における各機器が内部的に所有している固有のノードＩＤを利用して、複数のビデオカメラ１１の中から選択的にコマンド及びレスポンスの送受信を行うものを決定すればよい。実際にはパーソナルコンピュータ１２内のノードＩＤ選択部３１は、予め記憶しておいた特定のビデオカメラ１１に対応するノードＩＤを判断して、ディジタルインターフェース２６において、当該ノードＩＤ以外のノードＩＤに対応するビデオカメラ１１とは、制御状態監視プログラムに基づくコマンド及びレスポンスを送受信しないようにする。
【０１０４】
このようにしてビデオカメラシステム３０では、複数のビデオカメラ１１のうちユーザが指定したビデオカメラ１１から出力される撮像データＤ１のみをパーソナルコンピュータ１２においてダビング対象として供することができる。因みに、ノードＩＤ選択部３１は、制御部２５と別体構成にしたが、これに限らず、制御部２５において同様の処理内容を実行させるようにしても良い。
【０１０５】
例えば、図１との対応部分に同一符号を付した図１０に示すようなビデオカメラシステム４０では、単一のビデオカメラ１１に複数のパーソナルコンピュータ１２が相互接続されている。この場合ビデオカメラ１１の構成には、ノードＩＤ選択部４１が追加されていると共に、ビデオカメラ１１と通信ケーブル１３を介して接続されているパーソナルコンピュータ１２以外のパーソナルコンピュータ１２同士は通信ケーブル４２を介して相互接続されている。
【０１０６】
この場合、通信ケーブル１３、４２としてＩＥＥＥ１３９４規格に準拠したものを用いていることから、当該通信ケーブル１３、４２における各機器が内部的に所有している固有のノードＩＤを利用して、複数のパーソナルコンピュータ１２の中から選択的にコマンド及びレスポンスの送受信を行うものを決定すればよい。実際にはビデオカメラ１１内のノードＩＤ選択部４１は、予め記憶しておいた特定のパーソナルコンピュータ１２に対応するノードＩＤを判断して、ディジタルインターフェース２０において、当該ノードＩＤ以外のノードＩＤに対応するパーソナルコンピュータ１２とは、制御状態監視プログラムに基づくコマンド及びレスポンスを送受信しないようにする。
【０１０７】
このようにしてビデオカメラシステム３０では、複数のパーソナルコンピュータ１２のうちユーザが指定したパーソナルコンピュータ１２のみを記録機器としてユーザに供することができる。因みに、ノードＩＤ選択部４１は、制御部１９と別体構成にしたが、これに限らず、制御部１９において同様の処理内容を実行させるようにしても良い。
【０１０８】
さらに上述の本実施の形態においては、所定の通信方式の通信手段として、ＩＥＥＥ１３９４規格に準拠した通信ケーブル１３を適用した場合について述べたが、本発明はこれに限らず、対応する通信相手との間で種々の情報を送受信することができれば、これ以外の有線通信回線網のみならず、ブルートゥース（Ｂｌｕｅｔｏｏｔｈ）等の無線ＬＡＮ等の無線通信回線網からなる通信手段に広く適用することができる。この通信手段は撮像装置内部に設ける必要はなく、当該撮像装置の外部にクレードルというような形態で接続するようにしても良い。
【０１０９】
さらに上述の実施の形態においては、上述した図２におけるビデオカメラ１１側のＤＶＤおまかせ作成機能ＲＴ２において、取り込み開始点の設定やＤＶＤ記録時のビットレートの設定などは特に記載はしていないが、ＤＶＤ作成アプリケーションのデフォルト値にするようにしても良い。またビデオカメラ１１で変更したい場合にはビデオカメラ１１側で設定メニューを用意しておき、ＤＶＤ作成アプリケーションの開始時にパーソナルコンピュータ１２に通信で通知しておく必要がある。また、パーソナルコンピュータ１２に問題が発生して進捗が停止した場合には、その原因をビデオカメラ１１にも通知しユーザに対応を求めるようにしても良い。
【０１１０】
さらに上述の実施の形態においては、パーソナルコンピュータ１２がビデオカメラ１１の操作に応じてＤＶＤ作成アプリケーションを実行するようにした場合について述べたが、本発明はこれに限らず、パーソナルコンピュータ１２においてデータ通信リソースが限られている場合に、特定のアプリケーションで通信リソースを使用している間は他のアプリケーションでの通信リソースの使用を禁止するようにしても良い。
【０１１１】
【発明の効果】
上述のように本発明によれば、被写体の撮像結果として得られる撮像データを出力する撮像装置において、外部の記録装置と所定の通信方式による通信手段を介して相互に通信可能な状態になったときに、記録装置の制御状態を認識する制御手段と、記録装置の制御状態として得られる記録動作に必要なアプリケーションを実行させるための入力手段とを設け、記録装置は、入力手段によるアプリケーションの実行に基づいて、通信手段を介して取得した撮像データを記録するようにしたことにより、ユーザは撮像装置側から入力手段のみを用いて、記録装置側で記録動作に必要なアプリケーションを実行させるようにして当該撮像装置の撮像結果を記録装置側にダビングさせることができ、かくしてユーザの使い勝手を格段と向上し得る撮像装置を実現できる。
【０１１２】
また本発明においては、被写体の撮像結果として得られる撮像データを出力する撮像装置が、所定の通信方式による通信手段を介して記録装置と相互に通信するようになされた記録制御システムにおいて、撮像装置は、記録装置の制御状態を認識する第１の制御手段と、記録装置の制御状態として得られる記録動作に必要なアプリケーションを実行させるための入力手段とを設け、記録装置は、撮像装置の制御状態を認識する第２の制御手段と、記録装置の制御状態として得られる入力手段によるアプリケーションの実行に基づいて、通信手段を介して撮像装置から取得した撮像データを記録する記録手段とを設けるようにしたことにより、ユーザは撮像装置側から入力手段のみを用いて、記録装置側で記録動作に必要なアプリケーションを実行させるようにして当該撮像装置の撮像結果を記録装置側にダビングさせることができ、かくしてユーザの使い勝手を格段と向上し得る記録制御システムを実現できる。
【図面の簡単な説明】
【図１】本実施の形態によるビデオカメラシステムの構成を示すブロック図である。
【図２】ビデオカメラ側のＤＶＤおまかせ作成処理手順の説明に供するフローチャートである。
【図３】パーソナルコンピュータ側のＤＶＤおまかせ作成処理手順の説明に供するフローチャートである。
【図４】状態遷移図の前提説明に供する略線的な平面図である。
【図５】通常の状態遷移図の説明に供する略線的な平面図である。
【図６】通常の状態遷移図の説明に供する略線的な平面図である。
【図７】通常の状態遷移図の説明に供する略線的な平面図である。
【図８】例外・中断処理込みの状態遷移図の説明に供する略線的な平面図である。
【図９】他の実施の形態によるビデオカメラシステムの構成を示すブロック図である。
【図１０】他の実施の形態によるビデオカメラシステムの構成を示すブロック図である。
【図１１】従来の実施の形態によるビデオカメラシステムの構成を示すブロック図である。
【図１２】従来の映像ダビング処理手順の説明に供するフローチャートである。
【符号の説明】
１、１０、３０、４０……ビデオカメラシステム、２、１１……ビデオカメラ、３、１２……パーソナルコンピュータ、４、１３……通信ケーブル、１７、２４……画面表示部、１８、２３……操作部、１９、２５……制御部、２０、２６……ディジタルインターフェース、２２……撮像データ記録部、ＲＴ１、ＲＴ２……ＤＶＤおまかせ作成処理手順。
【図１】
2004312303.tif 000003
【図２】
2004312303.tif 000004
【図３】
2004312303.tif 000005
【図４】
2004312303.tif 000006
【図５】
2004312303.tif 000007
【図６】
2004312303.tif 000008
【図７】
2004312303.tif 000009
【図８】
2004312303.tif 000010
【図９】
2004312303.tif 000011
【図１０】
2004312303.tif 000012
【図１１】
2004312303.tif 000013
【図１２】
2004312303.tif 000014